(57)【要約】【課題】自衛噴霧方向の切り替え操作を容易に行うことができ、さらに噴霧のオン/オフ操作を容易に行うことができる消防自衛用噴霧継手及び継手セットを提供すること。【解決手段】流体の本流通路１１０を有すると共に径方向に分岐路１２０を有する継手管路１００と、前記継手管路１００の周囲に中間貯留部２１０を有して覆設され、周方向に自由回転可能に装着される環体からなると共に前記中間貯留部から環体外周側に亘る誘導路２２０を有した回転枠２００と、前記回転枠２００の外周面の一部であって誘導路２２０に連通接続されて径方向外方へノズル噴霧し得る、開閉機構付きのノズル噴霧器３００と、を具備し、前記分岐路１２０からの流通流体を前記中間貯留部２１０から誘導路２２０に誘導して前記ノズル噴霧器３００から噴霧することで、本流通方向と交差する流通路径の外方へ自衛噴霧を行う。【選択図】図３
2018057470.tif 000002
【特許請求の範囲】
【請求項１】
内部に流体の本流通路を有すると共に径方向に分岐路を有する継手管路と、前記継手管路の周囲に中間貯留部を有して覆設され、周方向に自由回転可能に装着される環体からなると共に前記中間貯留部から環体外周側に亘る誘導路を有した回転枠と、前記回転枠の外周面の一部であって誘導路に連通接続されて径方向外方へノズル噴霧し得る、開閉機構付きのノズル噴霧器と、を具備し、
前記分岐路からの流通流体を前記中間貯留部から誘導路に誘導して前記ノズル噴霧器から噴霧することで、本流通方向と交差する流通路径の外方へ自衛噴霧を行う、消防自衛用噴霧継手。
【請求項２】
前記ノズル噴霧器は、
前記回転枠の異なる位相位置に複数個設けられ、複数のうちいずれか２つのノズル噴霧器が接地して自立するように配置し得る、請求項１に記載の消防自衛用噴霧継手。
【請求項３】
前記ノズル噴霧器は、
先端から前記流体をノズル噴出し得る略柱状のノズル本体と、前記ノズル本体の周部に同軸で回転可能に取り付けられた回転操作部からなる開閉機構と、を備える請求項１又は請求項２に記載の消防自衛用噴霧継手。
【請求項４】
継手管路と、前記継手管路に覆設され、径方向の接続穴を複数個有する回転枠と、前記回転枠のいずれかの接続穴に取り外し可能に装着されるノズル噴霧器と、前記回転枠に取り外し可能に装着されるノズル噴霧器プラグとからなる継手セット。
【発明の詳細な説明】
【技術分野】
【０００１】
本発明は、消防用ノズルに装着される消防自衛用噴霧継手及び継手セットに関する。
【背景技術】
【０００２】
消防士が、火事等の現場で消火活動を行う際には、鎮火や延焼防止のための放水だけでなく、自衛噴霧と呼ばれる水膜を形成しながら消火活動を行う。この自衛噴霧は、消防用ノズルから放射状に消火用水を霧状に噴霧して水膜を形成することで、消防用ノズルを操作する消防士の保護だけでなく、火災時に非難する人達を保護することができ、消防士は安全に消火活動を行うことができるようになる。
【０００３】
例えば、特許文献１には、消防用ノズルのグリップ部をノズル外筒部に対して軸方向後方に移動させると、自衛放水噴出路が外部と連通され、流通路を流通する圧力消火水の一部が自衛放水噴出孔を通じて消防用ノズルの軸方向に直交する方向に放水されるように構成された消防用ノズルが開示されている。
【先行技術文献】
【特許文献】
【０００４】
【特許文献１】特開２０１５−１５７０３０号公報
【発明の概要】
【発明が解決しようとする課題】
【０００５】
自衛噴霧による流量や噴霧方向は消火現場の状況に応じて制御できることが望まれる。
しかしながら、従来の消防用ノズルは、自衛噴霧操作が面倒であり、自衛噴霧方向の切り替えができないか、もしくは、難しいという問題があった。
本発明は、かかる事情に鑑みてなされたものであり、自衛噴霧方向の切り替え操作を容易に行うことができ、さらに噴霧のオン/オフ操作を容易に行うことができる消防自衛用噴霧継手及び継手セットを提供することを目的とする。
【課題を解決するための手段】
【０００６】
上記課題を解決すべく、本発明に係る消防自衛用噴霧継手は以下の構成としている。すなわち、本発明に係る消防自衛用噴霧継手は、内部に流体の本流通路を有すると共に径方向に分岐路を有する継手管路と、前記継手管路の周囲に中間貯留部を有して覆設され、周方向に自由回転可能に装着される環体からなると共に前記中間貯留部から環体外周側に亘る誘導路を有した回転枠と、前記回転枠の外周面の一部であって誘導路に連通接続されて径方向外方へノズル噴霧し得る、開閉機構付きのノズル噴霧器と、を具備し、前記分岐路からの流通流体を前記中間貯留部から誘導路に誘導して前記ノズル噴霧器から噴霧することで、本流通方向と交差する流通路径の外方へ自衛噴霧を行う。
【０００７】
上記の構成によれば、径方向外方へ流体を噴霧するノズル噴霧器を有した回転枠が周方向に自由回転可能に装着されているため、回転枠の回転位相を変えるだけで顔面方向噴霧、足元方向噴霧などの自衛噴霧方向の切り替え操作を容易に行うことができる。また開閉機構つきノズル噴霧器を回転枠の外周面の周方向へ突設させてなるため自衛噴霧のオン/オフ操作を容易に行うことができる。
【０００８】
また、前記又は下記のいずれかの消防自衛用噴霧継手において、前記ノズル噴霧器は、前記回転枠の異なる位相位置に複数個設けられ、複数のうちいずれか２つのノズル噴霧器が接地することでノズル噴霧器全体が自立し得るように配置することが好ましい。
【０００９】
上記の構成によれば、ノズル噴霧器を回転枠の異なる位相位置に複数個設け、複数のうちいずれか２つのノズル噴霧器が接地するように配置されているので、消防用ノズルを安定した状態で地面等に載置することができる。このため、放水した状態で消防用ノズルを地面等に載置しても消防用ノズルが暴れることがなく、安全に消防用ノズルを載置することができる。
【００１０】
また、前記いずれかの消防自衛用噴霧継手において、前記ノズル噴霧器は、先端から前記流体をノズル噴出し得る略柱状のノズル本体と、前記ノズル本体の周部に同軸で回転可能に取り付けられた回転操作部からなる開閉機構と、を備えることが好ましい。
【００１１】
上記の構成によれば、回転操作部からなる開閉機構を開閉することで容易に自衛噴霧のオン/オフ操作を行うことができる。
【００１２】
また、本発明に係る継手セットは、継手管路と、前記継手管路に覆設され、径方向の接続穴を複数個有する回転枠と、前記回転枠のいずれかの接続穴に取り外し可能に装着されるノズル噴霧器と、前記回転枠に取り外し可能に装着されるノズル噴霧器プラグとからなる。
【００１３】
上記の構成によれば、継手管路に覆設され、径方向の接続穴を複数個有する回転枠と、回転枠のいずれかの接続穴に取り外し可能に装着されるノズル噴霧器と、回転枠に取り外し可能に装着されるノズル噴霧器プラグとからなるので、自衛噴霧方向の切り替え操作を容易に行うことができる。また、接続穴にノズル噴霧器プラグを装着することで、不要な方向の自衛噴霧を抑制することができる。
【発明の効果】
【００１４】
本発明の消防自衛用噴霧継手及び継手セットによれば、自衛噴霧方向の切り替え操作を容易に行うことができ、さらに噴霧のオン／オフ操作を容易に行うことができる。
【図面の簡単な説明】
【００１５】
【図１】本発明の実施の形態における消防用自衛噴霧継手の構成を示す側面図である。
【図２】本発明の実施の形態における消防用自衛噴霧継手の構成を示す正面図である。
【図３】本発明の実施の形態における消防用自衛噴霧継手の構成を示す一部断面図である。
【図４】本発明の実施の形態におけるノズル噴霧器の構成を示す断面図である。
【図５】本発明の実施の形態における消防用自衛噴霧継手にノズル噴霧器プラグを取り付けた例を示す正面図である。
【図６】本発明の他の実施の形態におけるノズル噴霧器の取り付け例を示す断面図である。
【図７】本発明の他の実施の形態におけるノズル噴霧器の取付け例を示す側面図である。
【発明を実施するための形態】
【００１６】
＜実施の形態＞
以下、図１〜図４を参照して本発明の実施の形態における消防用自衛噴霧継手１の構成を説明する。なお以降において構成名称に続けて記載する数字列は、図面の実施例の相当構成を参照して理解するための参照用符号であって、これによって構成自体を図示のものに限定したり意義を限定したりするものではない。
図１は、本発明の実施の形態における消防用自衛噴霧継手１の構成を示す側面図である。図２は、本発明の実施の形態における消防用自衛噴霧継手１の構成を示す正面図である。図３は、本発明の実施の形態における消防用自衛噴霧継手１の構成を示す一部断面図である。図４は、本発明の実施の形態におけるノズル噴霧器３００の構成を示す断面図である。
【００１７】
本発明の第１の実施の形態の消防用自衛噴霧継手１は、図１に示すように消防用ノズル２に装着され、消防士が火事等の現場で消火活動を行う際に自衛噴霧と呼ばれる水膜を形成するために用いられる。消防用自衛噴霧継手１を用いて自衛噴霧を行うことで、消防用ノズル２を操作する消防士だけでなく、火災時に非難する人達を保護することができる。
【００１８】
図１〜図３に示すように、消防用自衛噴霧継手１は、継手管路１００と、回転枠２００と、ノズル噴霧器３００とを備える。継手管路１００は、消防用ノズル２と接続され、
内部に消防用ノズル２へ供給される消火用の流体（例えば、水）の本流通路１１０を有すると共に径方向に分岐路１２０を有する。
【００１９】
回転枠２００は、継手管路１００の周囲に中間貯留部２１０を有して覆設され、周方向に自由回転可能に装着される環体からなると共に中間貯留部２１０から環体外周側に亘る誘導路２２０を有する。図２に示すように、回転枠２００の内周面２００Ｂの両側には、周方向に溝２００Ｇを有している。該溝２００Ｇには、シール用のＯリング２３０が装着されており、継手管路１００と回転枠２００との隙間からの水漏れを防止している。
【００２０】
回転枠２００の内周面２００Ｂの中央部には、外方に向かって窪んだ凹部が周方向に形成されており、該凹部と継手管路１００の外周面１００Ａとにより上記中間貯留部２１０が形成されている。また、回転枠２００は、誘導路２２０を周方向の異なる位相位置に複数有している。
【００２１】
ノズル噴霧器３００は、回転枠２００の外周面２００Ａの一部を構成し、回転枠２００が有する複数個の誘導路２２０に連通接続される。ここで、複数個の誘導路２２０に連通接続されたノズル噴霧器３００のうちいずれか２つのノズル噴霧器３００が接地するように配置されている。
【００２２】
ノズル噴霧器３００は、先端から流体をノズル噴出し得る略柱状のノズル本体３１０と、ノズル本体３１０の周部に同軸で回転可能に取り付けられた回転操作部からなる開閉機構３２０とを備える。ノズル本体３１０は、内部に流体の通路３１１を有し、該通路３１１が回転枠２００の誘導路２２０に連通接続されることで、流体を消防用自衛噴霧継手１の径方向外方へノズル噴霧し得る。
【００２３】
また、ノズル本体３１０の外周面３１０Ａの少なくとも一部には、開閉機構３２０を回転操作するために螺旋状の溝３１０Ｇが設けられている。さらに、ノズル本体３１０の頭部３１２及び外周面３１０Ａには、溝３１３，３１４が設けられ、それぞれシール用のＯリング３１５，３１６が装着されている。
【００２４】
開閉機構３２０は、断面がコの字形状を有するキャップ型の回転操作部である。開閉機構３２０は、内周面３２０Ｂの少なくとも一部に、ノズル本体３１０の外周面３１０Ａに設けられた溝３１０Ｇと勘合する螺旋状の溝３２０Ｇが設けられている。ノズル本体３１０の外周面３１０Ａに設けられた溝３１０Ｇと、開閉機構３２０の内周面３２０Ｂに設けられた溝３２０ＧＧとにより開閉機構３２０の回転操作が可能となる。
【００２５】
開閉機構３２０を上面から見て時計回りに回転させると、ノズル本体３１０の溝３１０Ｇと、開閉機構３２０の溝３２０ＧＧとにより開閉機構３２０がノズル本体３１０に地被くようにして回転し、開閉機構３２０がノズル本体３１０のＯリング３１５と当接して、自衛用の噴霧が停止する。
【００２６】
開閉機構３２０は、頭部３２１に流体をノズル噴霧するための通路３２２を有する。通路３２２は、流体の入り口３２２Ａを複数有し、流体の出口３２２Ｂを一つ有する構成となっている。より具体的には、一つの出口３２２Ｂから複数の入り口３２２Ａに向かって放射状に通路３２２が形成された構成となっている。このため、複数の入り口３２２Ａから流入した流体は、出口３２２Ｂで互いにぶつかり合い、流体が拡散して噴霧される。なお、開閉機構３２０の外周面３２０Ａには、滑り止めのためにローレット加工が施されている。
【００２７】
図５は、本発明の実施の形態における消防用自衛噴霧継手１の回転枠２００にノズル噴霧器プラグ４００を取り付けた例を示す正面図である。上記説明では、回転枠２００にノズル噴霧器３００を連通接続していたが、図５に示すように、ノズル噴霧器３００に替えてノズル噴霧器プラグ４００を回転枠２００の誘導路２２０に接続するように構成してもよい。
【００２８】
ノズル噴霧器プラグ４００には、開閉機構３２０に替わりに、流体をノズル噴霧するための通路が形成されていないメクラ用蓋４２０が被せられている。このため、ノズル噴霧器３００に替えてノズル噴霧器プラグ４００を装着することで、不要な方向の自衛噴霧を抑制することができる。
【００２９】
以上のように、本実施の形態に係る消防自衛用噴霧継手１は、内部に流体の本流通路１１０を有すると共に径方向に分岐路１２０を有する継手管路１００と、継手管路１００の周囲に中間貯留部２１０を有して覆設され、周方向に自由回転可能に装着される環体からなると共に中間貯留部２１０から環体外周側に亘る誘導路２２０を有した回転枠２００と、回転枠２００の外周面２００Ａの一部であって誘導路２２０に連通接続されて径方向外方へノズル噴霧し得る開閉機構３２０付きのノズル噴霧器３００とを具備している。そして、分岐路１２０からの流通流体を中間貯留部２１０から誘導路２２０に誘導してノズル噴霧器３００から噴霧することで、本流通方向と交差する流通路径の外方へ自衛噴霧を行うことができる。
【００３０】
すなわち、上記の構成によれば、径方向外方へ流体を噴霧するノズル噴霧器３００を有した回転枠２００が周方向に自由回転可能に装着されているため、回転枠２００の回転位相を変えるだけで顔面方向噴霧、足元方向噴霧などの自衛噴霧方向の切り替え操作を容易に行うことができる。また開閉機構３２０つきノズル噴霧器３００を回転枠２００の外周面２００Ａの周方向へ突設させてなるため自衛噴霧のオン/オフ操作を容易に行うことができる。
【００３１】
また、本実施の形態に係る消防自衛用噴霧継手１のノズル噴霧器３００は、回転枠２００の異なる位相位置に複数個設けられ、複数のうちいずれか２つのノズル噴霧器３００が接地するように配置し得る。
【００３２】
上記の構成によれば、消防用ノズル２を安定した状態で地面等に載置することができる。このため、放水した状態で消防用ノズル２を地面等に載置しても消防用ノズル２が暴れることがなく、安全に消防用ノズル２を地面等に載置することができる。
【００３３】
また、本実施の形態に係る消防自衛用噴霧継手１のノズル噴霧器３００は、先端から流体をノズル噴出し得る略柱状のノズル本体３１０と、ノズル本体３１０の周部に同軸で回転可能に取り付けられた回転操作部からなる開閉機構３２０とを備える。
【００３４】
上記の構成によれば、回転操作部からなる開閉機構３２０を開閉することで容易に自衛噴霧のオン/オフ操作を行うことができる。
【００３５】
さらに、ノズル噴霧器３００に替えてノズル噴霧器プラグ４００を装着した場合、不要な方向の自衛噴霧を抑制することができる。
【００３６】
また、本実施の形態に係る消防自衛用噴霧継手１を構成する継手セットは、継手管路１００と、継手管路１００に覆設され、径方向の接続穴を複数個有する回転枠２００と、回転枠２００のいずれかの接続穴に取り外し可能に装着されるノズル噴霧器３００と、回転枠２００に取り外し可能に装着されるノズル噴霧器プラグ４００とからなる。
【００３７】
上記の構成によれば、自衛噴霧方向の切り替え操作を容易に行うことができる。また、接続穴にノズル噴霧器プラグ４００を装着することで、不要な方向の自衛噴霧を抑制することができる。
【００３８】
＜その他の実施の形態＞
以上、実施の形態をもとに本発明を説明した。実施の形態は例示であり、本発明の主旨から逸脱しない限り、上述各実施の形態に対して、さまざまな変更、増減、組合せを加えてもよい。
【００３９】
実施の形態では、図２に示すように、２つのノズル噴霧器３００を回転枠２００に約４５度異なる位相位置に設けた例を示した。これにより、２つのノズル噴霧器３００が接地するため、消防用ノズル２を安定した状態で地面等に載置することできる。
【００４０】
しかしながら、ノズル噴霧器３００を設ける個数は２つに限られず、また、位相位置も４５度に限られない。例えば、図６（ａ）に示すように、３つのノズル噴霧器３００を、それぞれ約４５度及び約１８０度異なる位相位置に設けるようにしてもよい。また、図６（ｂ）に示すように、２つのノズル噴霧器３００を約１８０度異なる位相位置に設けるようにしてもよい。また、図６（ｃ）に示すように、３つのノズル噴霧器３００を約１２０度及び２４０度異なる位相位置に設けるようにしてもよい。さらに、図６（ｄ）に示すように、３つのノズル噴霧器３００を約９０度及び約２７０異なる位相位置に設けるようにしてもよい。
【００４１】
図６に示すように、複数個のノズル噴霧器３００をそれぞれ異なる位相位置に設けることにより、顔面方向噴霧、足元方向噴霧など複数の方向に一度に自衛噴霧を行うことができる。また、消防用ノズル２を安定した自立状態で地面等に載置ないし設置することができる。
【００４２】
また、図７に示すように、ノズル噴霧器は、
流路をまっすぐ連通させるストレート接続具５１、又は流路を所定の傾斜方向へ傾けた方向へ連通させるベント゛接続具５２を介して、各ノズル噴霧器３００をそれぞれ異なる位相位置に設けたものとしてもよい。図７では上方の誘導路２２０の先に、４５度の傾斜方向へ流路を傾けたベンド接続具５２を設けると共に、これと断面視対角方向である下方の誘導路２２０の先に、流路をまっすぐ延長させるストレート接続具５２を設けており、各接続具５１，５２の先にそれぞれ、ノズル本体３１０を接続することでノズル噴霧器３００を、断面視径方向の対称位置に設けている。このように各接続具５１，５２を交換することで所定方向への自衛噴霧を行うことができる。また、ベンド接続具５２は一定の傾斜方向を保つものでも良いし、調整によって傾斜方向を変更し得るものでもよい。
【符号の説明】
【００４３】
１  消防用自衛噴霧継手
２  消防用ノズル
１００  継手管路
１１０  本流通路
１２０  分岐路
１００Ａ  外周面
２００  回転枠
２１０  中間貯留部
２２０  誘導路
２３０  Ｏリング
２００Ｂ  内周面
２００Ｇ  溝
３００  ノズル噴霧器
３１０  ノズル本体
３１１  通路
３１２  頭部
３１３，３１４  溝
３１５，３１６  Ｏリング
３１０Ａ  外周面
３１０Ｇ  溝
３２０  開閉機構
３２１  頭部
３２２  通路
３２２Ａ  入り口
３２２Ｂ  出口
３２０Ａ  外周面
３２０Ｂ  内周面
３２０Ｇ  溝
４００  ノズル噴霧器プラグ
４２０  メクラ用蓋
【図１】
2018057470.tif 000003
【図２】
2018057470.tif 000004
【図３】
2018057470.tif 000005
【図４】
2018057470.tif 000006
【図５】
2018057470.tif 000007
【図６】
2018057470.tif 000008
【図７】
2018057470.tif 000009